(57)【要約】【課題】  品物によって端フラップ及び側フラップが上側に押されて盛り上がっても、端フラップ及び側フラップの係合を外れにくくし、品物を確実に抑えることができるようにする。【解決手段】  側フラップ３における切欠き部１４の形状を、所定幅の底部１４ｃを有した略四角形状に形成し、切欠き部１４を形成する内側片部１７の縁部１４ｂを、内側から側フラップ３の端縁７の延長線Ｐに向かって傾斜するように形成し、切欠き部１４を形成する外側片部１８の縁部１４ａを、延長線Ｐに対して直交し、若しくは、外側から傾斜するように形成し、一対の各切欠き部１４の底部１４ｃ同士を結ぶ線上に、折れ罫線３０を形成し、端フラップ１においても、一対の各溝１１の底部１１ａ同士を結ぶ線上に、折れ罫線３１を形成した。【選択図】  図１
2007230627.tif 000002
【特許請求の範囲】
【請求項１】
一対の端壁から夫々連設された一対の端フラップ及び一対の側壁から夫々連設された一対の側フラップを有し、上記端フラップの両側端部及び上記側フラップの両側端部を重ねた状態で、上記端フラップの端縁及び上記側フラップの端縁によって天面に開口を形成してなる段ボール箱であって、
上記端フラップの両側端部に該端フラップの端縁から左右対称位置に切り込まれた溝を形成する一方、
上記側フラップの側端部に上記溝が係合する切欠き部を形成し、
上記端フラップの両側端部の上に上記側フラップの両側端部を夫々重ねた状態で該端フラップの上記溝間に形成された引上部を引き上げることにより、上記溝と切欠き部とを係合させて、
上記端フラップの溝より内側の内側角部によって上記側フラップの切欠き部より内側の内側片部を押え、
上記側フラップの切欠き部より外側の外側片部によって上記端フラップの溝より外側の外側角部を押えるようにした段ボール箱において、
上記側フラップにおける上記切欠き部を形成する内側片部の縁部を、該縁部に沿う線が内側から該側フラップの端縁の延長線に向かって傾斜するように形成したことを特徴とする段ボール箱。
【請求項２】
上記切欠き部の形状を、所定幅の底部を有した略四角形状に形成し、上記切欠き部を形成する外側片部の縁部を、該縁部に沿う線が、上記側フラップの端縁の延長線に対して直交するように形成し、若しくは、該縁部に沿う線が、外側から上記側フラップの端縁の延長線に向かって傾斜するように形成したことを特徴とする請求項１記載の段ボール箱。
【請求項３】
上記側フラップにおいて、上記一対の各切欠き部の底部同士を結ぶ線上に、折れ罫線を形成したことを特徴とする請求項１または２記載の段ボール箱。
【請求項４】
上記折れ罫線を、上記側フラップの内面側から圧潰形成したことを特徴とする請求項３記載の段ボール箱。
【請求項５】
上記端フラップにおいて、上記一対の各溝の底部同士を結ぶ線上に、折れ罫線を形成したことを特徴とする請求項３または４記載の段ボール箱。
【請求項６】
上記端フラップの引上部の左右対称位置であって、該端フラップの上記端壁に対する連設線と該端フラップの端縁との中間に、上記連設線の外側から端縁の中心側に向けて傾斜した線状の切込みを形成し、上記端フラップにおいて、上記一対の各溝の底部同士を結ぶ線上であって、上記切込みの下端を通る線上に、折れ罫線を形成したことを特徴とする請求項５記載の段ボール箱。
【請求項７】
上記折れ罫線を、上記端フラップの内面側から圧潰形成したことを特徴とする請求項５または６記載の段ボール箱。
【発明の詳細な説明】
【技術分野】
【０００１】
本発明は、レタスやキャベツ等の野菜を始め種々の品物を収納する段ボール箱に係り、特に、天面に開口を形成して内部の品物が見えるようにした段ボール箱に関する。
【背景技術】
【０００２】
従来、この種の段ボール箱には、例えば、特開２００３−１７０９２１号公報に記載されたものが知られている（特許文献１参照）。
図７に示すように、この従来の段ボール箱Ｂａは、一対の端壁１００から夫々連設された一対の端フラップ１０１及び一対の側壁１０２から夫々連設された一対の側フラップ１０３を有し、端フラップ１０１の両側端部１０４及び側フラップ１０３の両側端部１０５を重ねた状態で、端フラップ１０１の端縁１０６及び側フラップ１０３の端縁１０７によって天面１０８に開口１０９を形成してなる。
【０００３】
また、この段ボール箱Ｂａは、端フラップ１０１の両側端部１０４に端フラップ１０１の端縁１０６から左右対称位置に切り込まれた直線状の溝１１１を形成する一方、側フラップ１０３のコーナ部１１２に溝１１１が係合する切欠き部１１４を形成して構成されている。
切欠き部１１４を形成する側フラップ１０３の外側の外側片部１１８において、この外側片部１１８の縁部１１４ａは、内側から側フラップ１０３の側壁１０２に対する連設線１１３の延長線１１３ａに向けて斜めに形成されている。
【０００４】
そして、この段ボール箱Ｂａにおいて内部に品物を収納した状態で天面１０８を閉じる際は、端フラップ１０１の両側端部１０４の上に側フラップ１０３の両側端部１０５を夫々重ね、この状態で端フラップ１０１の溝１１１間に形成された引上部１１５を引き上げる。これにより、図７（ｂ）に示すように、溝１１１と切欠き部１１４とが係合し、端フラップ１０１の溝１１１より内側の内側角部１１６により側フラップ１０３の切欠き部１１４より内側の内側片部１１７が押えられ、側フラップ１０３の切欠き部１１４より外側の外側片部１１８により端フラップ１０１の溝１１１より外側の外側角部１１９が押えられ、天面１０８に開口１０９が形成されて、天面１０８が閉じられる。
【０００５】
また、従来の段ボール箱Ｂａにおいては、上記の引上部１１５の引上げの際に、引上部１１５が容易に引上げられるように、引上部１１５に、折込罫線１２１，１２３が入れられている。折込罫線１２１は、端フラップ１０１の引上部１１５の左右対称位置であって、端フラップ１０１の端壁１００に対する連設線１２０と端フラップ１０１の端縁１０６との間に亘り、連設線１２０の中央から端縁１０６の外側に向けて傾斜形成されている。また、折込罫線１２３は、端フラップ１０１の中心線１２２上に形成されている。
【０００６】
【特許文献１】特開２００３−１７０９２１号公報
【発明の開示】
【発明が解決しようとする課題】
【０００７】
ところで、この従来の段ボール箱Ｂａにおいては、切欠き部１１４を形成する外側片部１１８の縁部１１４ａは、内側から側フラップ１０３の側壁１０２に対する連設線１１３の延長線１１３ａに向けて斜めに形成されているので、切欠き部１１４の切欠きが大きくなっており、その分、溝１１１との係合が弱く、外側片部１１８による端フラップ１０１の外側角部１１９の押さえが弱くなっているという問題があった。
そのため、例えば、レタスやキャベツなどのように、大きさにバラツキがあり、箱の高さよりも高さが僅かに高くなることがあるような品物を収納する際には、端フラップ１０１及び側フラップ１０３を係合させて閉じたとき、品物によって端フラップ１０１及び側フラップ１０３が上側に押されて盛り上がってしまい、この盛り上がりにより端フラップ１０１及び側フラップ１０３の係合が外れやすく、外れた場合には端フラップ１０１及び側フラップ１０３が立ち上がってしまい、段ボール箱Ｂａの搬送や積み上げ時に支障を生じるという問題があった。
【０００８】
本発明は上記の問題点に鑑みて為されたもので、品物によって端フラップ及び側フラップが上側に押されて盛り上がっても、端フラップ及び側フラップの係合を外れにくくし、品物を確実に押えることができるようにした段ボール箱を提供することを目的とする。
【課題を解決するための手段】
【０００９】
このような目的を達成するための本発明の技術的手段は、一対の端壁から夫々連設された一対の端フラップ及び一対の側壁から夫々連設された一対の側フラップを有し、上記端フラップの両側端部及び上記側フラップの両側端部を重ねた状態で、上記端フラップの端縁及び上記側フラップの端縁によって天面に開口を形成してなる段ボール箱であって、
上記端フラップの両側端部に該端フラップの端縁から左右対称位置に切り込まれた溝を形成する一方、上記側フラップの側端部に上記溝が係合する切欠き部を形成し、上記端フラップの両側端部の上に上記側フラップの両側端部を夫々重ねた状態で該端フラップの上記溝間に形成された引上部を引き上げることにより、上記溝と切欠き部とを係合させて、上記端フラップの溝より内側の内側角部によって上記側フラップの切欠き部より内側の内側片部を押え、上記側フラップの切欠き部より外側の外側片部によって上記端フラップの溝より外側の外側角部を押えるようにした段ボール箱において、
上記側フラップにおける上記切欠き部を形成する内側片部の縁部を、該縁部に沿う線が内側から該側フラップの端縁の延長線に向かって傾斜するように形成した構成としている。
【００１０】
これにより、本発明の段ボール箱においては、側フラップにおける切欠き部を形成する内側片部の縁部が、内側から側フラップの端縁の延長線に向けて傾斜形成されているので、それだけ、内側片部が外側に向けて大きく形成されることになる。そのため、内部に品物を収納した状態で引上部を引上げて天面を閉じると、切欠き部と溝との係合が強くなり、また、端フラップの内側角部による側フラップの内側片部の押さえが強くなる。これにより、天面が確実に閉止され、品物によって端フラップ及び側フラップが上側に押されて盛り上がっても、端フラップ及び側フラップの係合が外れにくくなり、品物を確実に押えることができ、段ボール箱の搬送時や積み上げ時の取り扱い性を向上させることができる。
【００１１】
また、必要に応じ、上記切欠き部の形状を、所定幅の底部を有した略四角形状に形成し、上記切欠き部を形成する外側片部の縁部を、該縁部に沿う線が、上記側フラップの縁部の延長線に対して直交するように形成し、若しくは、該縁部に沿う線が、外側から上記側フラップの縁部の延長線に向かって傾斜するように形成した構成としている。
これにより、切欠き部が台形状に小さくなり、側フラップにおける切欠き部を形成する外側片部が立ち上がって大きく形成されることになる。そのため、内部に品物を収納した状態で引上部を引上げて天面を閉じると、切欠き部と溝との係合が強くなり、また、側フラップの外側片部による端フラップの押さえが強くなる。これにより、天面がより一層確実に閉止され、品物によって端フラップ及び側フラップが上側に押されて盛り上がっても、端フラップ及び側フラップの係合がより一層外れにくくなり、品物を確実に押えることができ、段ボール箱の搬送時や積み上げ時の安定を向上させることができる。
また、上記切欠き部の底部は所定幅を有しているので、遊びがあり、品物によって端フラップ及び側フラップが上側に押されて盛り上がっても、切欠き部が溝に対して動きうるので、盛り上がりを吸収することができ、この点でも品物を確実に押えることができるようになる。
【００１２】
また、必要に応じ、上記側フラップにおいて、上記一対の各切欠き部の底部同士を結ぶ線上に、折れ罫線を形成した構成としている。
これにより、品物によって端フラップ及び側フラップが上側に押されて盛り上がると、側フラップは、その折れ罫線から折れ曲がって外側に膨出するようになり、そのため、盛り上がりを吸収することができ、この点でも品物を確実に押えることができるようになる。
また、側フラップは、その折れ罫線から折れ曲がって外側に膨出するので、切欠き部と溝との係合部に無理な力がかからないことから、端フラップ及び側フラップの係合が外れにくくなり、より一層品物を確実に押えることができるようになる。
【００１３】
この場合、上記折れ罫線を、上記側フラップの内面側から圧潰形成したことが有効である。折れ罫線においては、内面側が圧潰により弱くなるので、側フラップは外側に膨出しやすくなる。また、外面に折れ罫線が露出しないので、見栄えが良く、外観品質が向上させられる。
【００１４】
更に、必要に応じ、上記端フラップにおいて、上記一対の各溝の底部同士を結ぶ線上に、折れ罫線を形成した構成としている。
これにより、品物によって端フラップ及び側フラップが上側に押されて盛り上がると、端フラップは、その折れ罫線から折れ曲がって外側に膨出するようになり、そのため、上記の側フラップの折れ罫線での折れ曲がりと相俟って、盛り上がりを吸収することができ、品物を確実に押えることができるようになる。
また、端フラップは、上記の側フラップの折れ罫線での折れ曲がりと相俟って、その折れ罫線から折れ曲がって外側に膨出するので、切欠き部と溝との係合部に無理な力がかからないことから、端フラップ及び側フラップの係合がより一層外れにくくなり、より一層品物を確実に押えることができるようになる。
【００１５】
この場合、必要に応じ、上記端フラップの引上部の左右対称位置であって、該端フラップの上記端壁に対する連設線と該端フラップの端縁との中間に、上記連設線の外側から端縁の中心側に向けて傾斜した線状の切込みを形成し、上記端フラップにおいて、上記一対の各溝を形成する内側角部の端縁の基端同士を結ぶ線上であって、上記切込みの下端を通る線上に、折れ罫線を形成した構成としている。
これにより、内部に品物を収納した状態で天面を閉じる際は、引上部を引上げるが、連設線の外側から端縁の中心側に向けて傾斜した線状の切込みがあるので、ある程度この切込みのところで曲がるとともに、この切込みの両端外側部分が撓むようになり、そのため、引上げが容易になる。
また、折れ罫線が切込みの下端を通るので、切込みの機能を損なうことなく、端フラップをその折れ罫線から折れ曲がって外側に膨出させることができる。
【００１６】
また、この場合、上記折れ罫線を、上記端フラップの内面側から圧潰形成したことが有効である。折れ罫線においては、内面側が圧潰により弱くなるので、端フラップは外側に膨出しやすくなる。また、外面に折れ罫線が露出しないので、見栄えが良く、外観品質が向上させられる。
【発明の効果】
【００１７】
本発明の段ボール箱によれば、側フラップにおける切欠き部を形成する内側片部の縁部を内側から側フラップの端縁の延長線に向けて傾斜形成したので、それだけ、内側片部が外側に向けて大きく形成されることになり、切欠き部と溝との係合が強くなり、また、端フラップの内側角部による側フラップの内側片部の押さえが強くなる。このため、天面が確実に閉止され、品物によって端フラップ及び側フラップが上側に押されて盛り上がっても、端フラップ及び側フラップの係合が外れにくくなり、品物を確実に押えることができ、段ボール箱の搬送時や積み上げ時の取り扱い性を向上させることができる。
【００１８】
また、切欠き部の形状を、所定幅の底部を有した略四角形状に形成し、切欠き部を形成する外側片部の縁部を、該縁部に沿う線が、側フラップの縁部の延長線に対して直交するように形成し、若しくは、該縁部に沿う線が、外側から側フラップの縁部の延長線に向かって傾斜するように形成した場合には、切欠き部が台形状に小さくなり、側フラップにおける切欠き部を形成する外側片部が立ち上がって大きく形成されることになるので、切欠き部と溝との係合がより一層強くなり、また、側フラップの外側片部による端フラップの押さえが強くなる。このため、天面がより一層確実に閉止され、品物によって端フラップ及び側フラップが上側に押されて盛り上がっても、端フラップ及び側フラップの係合がより一層外れにくくなり、品物を確実に押えることができ、段ボール箱の搬送時や積み上げ時の取り扱い性を向上させることができる。
【００１９】
更に、フラップに折れ罫線を形成した場合には、品物によってフラップが上側に押されて盛り上がると、フラップは、その折れ罫線から折れ曲がって外側に膨出するようになり、そのため、盛り上がりを吸収することができ、この点でも品物を確実に押えることができるようになる。また、フラップは、その折れ罫線から折れ曲がって外側に膨出するので、切欠き部と溝との係合部に無理な力がかからないことから、フラップ同士の係合が外れにくくなり、より一層品物を確実に押えることができるようになる。
【発明を実施するための最良の形態】
【００２０】
以下、添付図面に基づいて、本発明の実施の形態に係る段ボール箱について詳細に説明する。
図１乃至図４には、本発明の実施の形態に係る段ボール箱Ｂを示す。この段ボール箱Ｂは、例えば、キャベツが８個（２列×４個）入る大きさに形成され、一対の端壁１０から夫々連設された一対の端フラップ１及び一対の側壁２から夫々連設された一対の側フラップ３を有し、端フラップ１の両側端部４及び側フラップ３の両側端部５を重ねた状態で、端フラップ１の端縁６及び側フラップ３の端縁７によって天面８に開口９を形成するものである。
【００２１】
また、端フラップ１の両側端部４に端フラップ１の端縁６から左右対称位置に切り込まれた溝１１を形成する一方、側フラップ３の両側端部５に溝１１が係合する切欠き部１４を形成し、端フラップ１の両側端部４の上に側フラップ３の両側端部５を夫々重ねた状態で端フラップ１の溝１１間に形成された引上部１５を引き上げることにより、溝１１と切欠き部１４とを係合させるようにしている。即ち、溝１１と切欠き部１４とが係合した状態で、端フラップ１の溝１１より内側の内側角部１６によって、側フラップ３の切欠き部１４より内側の内側片部１７を押え、側フラップ３の切欠き部１４より外側の外側片部１８によって、端フラップ１の溝１１より外側の外側角部１９を押えるように構成されている。
【００２２】
そして、本発明の実施の形態に係る段ボール箱Ｂにおいては、図３に示すように、側フラップ３における切欠き部１４を形成する内側片部１７の縁部１４ｂは、この縁部１４ｂに沿う線Ｘが内側から側フラップ３の端縁７の延長線Ｐに向かって傾斜するように形成されている。即ち、この縁部１４ｂに沿う線Ｘは、側フラップ３の中心側から外側に向かい且つ縁部１４ｂの基端１４ｄから側フラップ３の端縁７の延長線Ｐに向かって傾斜するように形成されている。
また、切欠き部１４の形状は、所定幅の底部１４ｃを有した略四角形状に形成され、切欠き部１４を形成する外側片部１８の縁部１４ａは、この縁部１４ａに沿う線Ｙが、側フラップ３の端縁７の延長線Ｐに対して直交するように形成されている。また、図示しないが、縁部１４ａは、縁部１４ａに沿う線Ｙが、外側から側フラップ３の端縁７の延長線Ｐに向かって傾斜するように形成しても良い。これにより、切欠き部１４の形状は、四角形状であって、開口幅より底部１４ｃの幅の方が長い台形状に形成される。
【００２３】
更に、側フラップ３においては、一対の各切欠き部１４の底部１４ｃ同士を結ぶ線上に、具体的には、一対の各切欠き部１４を形成する内側片部１７の縁部１４ｂの基端１４ｄ同士を結ぶ線上に、折れ罫線３０が形成されている。この折れ罫線３０は、図６に示すように、側フラップ３の内面側から型（図示せず）により圧潰形成されている。そのため、外面に折れ罫線３０が露出しないので、見栄えが良く、外観品質が向上させられる。
【００２４】
また、端フラップ１の引上部１５の左右対称位置であって、端フラップ１の端壁１０に対する連設線２０と端フラップ１の端縁６との中間には、連設線２０の外側から端縁６の中心側に向けて傾斜した線状の切込み２１が形成されている。
更に、溝１１は、底部から開放端に向けて拡開形成され、略Ｖ字状に形成されている。
【００２５】
更にまた、端フラップ１において、一対の各溝１１の底部１１ａ同士を結ぶ線上であって、切込み２１の下端２１ａを通る線上に、折れ罫線３１が形成されている。この折れ罫線３１は、上記の側フラップ３の折れ罫線３０と同様に、端フラップ１の内面側から型（図示せず）により圧潰形成されている。そのため、外面に折れ罫線３１が露出しないので、見栄えが良く、外観品質が向上させられる。
【００２６】
従って、本発明の実施の形態に係る段ボール箱Ｂにおいて、内部に品物を収納した状態で天面８を閉じる際は、以下のようにして行なう。
先ず、図５に示すように、端フラップ１を夫々内側に折り曲げる。次に内側に折り曲げられた端フラップ１の上に来るように側フラップ３を夫々内側に折り曲げる。
折り曲げた側フラップ３を両方共に押えながら、片方の端フラップ１の引上部１５を上に引上げる。引上部１５を引上げると夫々の内側角部１６が上がり、夫々の内側片部１７の上にくると同時に両方の溝１１と切欠き部１４が係合され、端フラップ１と側フラップ３が係合される。もう片方の端フラップ１と側フラップ３も同様に操作することにより天面８を閉止できる。
【００２７】
この場合、引上部１５を引上げるときには、連設線２０の外側から端縁６の中心側に向けて傾斜した線状の切込み２１があるので、ある程度この切込み２１のところで曲がるとともに、この切込み２１の両端外側部分が撓むようになり、そのため、引上げが容易になる。この際、折れ罫線３１が切込み３１の下端を通っているので、切込み２１の機能を損なうことがない。
【００２８】
このようにして天面８が閉止された状態においては、側フラップ３における切欠き部１４を形成する内側片部１７の縁部１４ｂが、内側から側フラップ３の端縁７の延長線Ｐに向けて傾斜形成されているので、それだけ、内側片部１７が外側に向けて大きく突出形成されることになる。そのため、内部に品物を収納した状態で引上部１５を引上げて天面８を閉じると、切欠き部１４と溝１１との係合が強くなり、また、端フラップ１の内側角部１６による側フラップ３の内側片部１７の押さえが強くなる。これにより、端フラップ１及び側フラップ３の係合が外れにくくなるので、例えば、レタスやキャベツなどのように、大きさにバラツキがあり、箱の高さよりも高さが僅かに高くなることがあるような品物を収納する際には、端フラップ１及び側フラップ３を係合させて閉じたとき、品物によって端フラップ１及び側フラップ３が上側に押されて盛り上がってしまうが、端フラップ１及び側フラップ３が上側に押されて盛り上がっても、品物を確実に押えることができ、段ボール箱Ｂの搬送時や積み上げ時の取り扱い性を向上させることができる。
【００２９】
また、切欠き部１４が台形状に小さくなり、側フラップ３における切欠き部１４を形成する外側片部１８が立ち上がって大きく形成されることになる。そのため、内部に品物を収納した状態で引上部１５を引上げて天面８を閉じると、切欠き部１４と溝１１との係合が強くなり、また、側フラップ３の外側片部１８による端フラップ１の押さえが強くなる。これにより、天面８がより一層確実に閉止され、品物によって端フラップ１及び側フラップ３が上側に押されて盛り上がっても、端フラップ１及び側フラップ３の係合がより一層外れにくくなり、品物を確実に押えることができ、段ボール箱Ｂの搬送時や積み上げ時の安定を向上させることができる。
また、切欠き部１４の底部１４ｃは所定幅を有しているので、遊びがあり、品物によって端フラップ１及び側フラップ３が上側に押されて盛り上がっても、切欠き部１４が溝１１に対して動きうるので、盛り上がりを吸収することができ、この点でも品物を確実に押えることができるようになる。
【００３０】
また、図６に示すように、側フラップ３において、一対の各切欠き部１４の底部１４ｃ同士を結ぶ線上に、折れ罫線３０が形成されているので、品物によって端フラップ１及び側フラップ３が上側に押されて盛り上がると、側フラップ３は、その折れ罫線３０から折れ曲がって外側に膨出するようになり、そのため、盛り上がりを吸収することができ、この点でも品物を確実に押えることができるようになる。この場合、折れ罫線３０においては、内面側が圧潰により弱くなるので、側フラップ３は外側に膨出しやすくなる。また、側フラップ３は、その折れ罫線３０から折れ曲がって外側に膨出するので、切欠き部１４と溝１１との係合部に無理な力がかからないことから、端フラップ１及び側フラップ３の係合が外れにくくなり、より一層品物を確実に押えることができるようになる。
【００３１】
更に、端フラップ１においても、同様に、一対の各溝１１の底部１１ａ同士を結ぶ線上に、折れ罫線３１を形成しているので、品物によって端フラップ１及び側フラップ３が上側に押されて盛り上がると、端フラップ１は、その折れ罫線３１から折れ曲がって外側に膨出するようになり、そのため、上記の側フラップ３の折れ罫線３０での折れ曲がりと相俟って、盛り上がりを吸収することができ、品物を確実に押えることができるようになる。この場合、折れ罫線３１においては、内面側が圧潰により弱くなるので、端フラップ１は外側に膨出しやすくなる。また、端フラップ１は、上記の側フラップ３の折れ罫線３０での折れ曲がりと相俟って、その折れ罫線３１から折れ曲がって外側に膨出するので、切欠き部１４と溝１１との係合部に無理な力がかからないことから、端フラップ１及び側フラップ３の係合がより一層外れにくくなり、より一層品物を確実に押えることができるようになる。
【図面の簡単な説明】
【００３２】
【図１】本発明の実施の形態に係る段ボール箱を示す斜視図である。
【図２】本発明の実施の形態に係る段ボール箱を示す展開図である。
【図３】本発明の実施の形態に係る段ボール箱を示す展開図の要部拡大図である。
【図４】本発明の実施の形態に係る段ボール箱を天面を閉止した状態で示す斜視図である。
【図５】本発明の実施の形態に係る段ボール箱の組み立て手順を示す図である。
【図６】本発明の実施の形態に係る段ボール箱において、品物により盛り上がった際の作用を示す断面図である。
【図７】従来の段ボール箱の一例をその組み立て手順とともに示す斜視図である。
【符号の説明】
【００３３】
Ｂ  段ボール箱
１  端フラップ
２  側壁
３  側フラップ
４  側端部
５  側端部
６  端縁
７  端縁
８  天面
９  開口
１０  端壁
１１  溝
１１ａ  底部
１４  切欠き部
１４ａ  縁部
１４ｂ  縁部
１４ｃ  底部
１４ｄ  基端
１５  引上部
１６  内側角部
１７  内側片部
１８  外側片部
１９  外側角部
２０  連設線
２１  切込み
Ｐ  延長線
Ｘ  縁部１４ｂに沿う線
Ｙ  縁部１４ａに沿う線
３０  折れ罫線
３１  折れ罫線
【図１】
2007230627.tif 000003
【図２】
2007230627.tif 000004
【図３】
2007230627.tif 000005
【図４】
2007230627.tif 000006
【図５】
2007230627.tif 000007
【図６】
2007230627.tif 000008
【図７】
2007230627.tif 000009